(57)【要約】【課題】十分な量の液体水虫治療薬を患部に確実且つ素早く浸透させ、水虫を短期間に完治させることのできる水虫治療器具を提供する。【解決手段】本発明に係る水虫治療器具１は、棒状の基軸２と、基軸２の先端部に基端部が固定されるブラシ集合体３と、を備え、ブラシ集合体３は、多数の繊維を束ねて円柱状に形成されたブラシ４を、基軸２の先端部の周囲に複数本均等に配置して構成されていることを特徴とする。【選択図】図１
2018019892.tif 000002
【特許請求の範囲】
【請求項１】
棒状の基軸と、
該基軸の先端部に基端部が固定されるブラシ集合体と、
を備え、
該ブラシ集合体は、多数の繊維を束ねて円柱状に形成されたブラシを、前記基軸の先端部の周囲に複数本均等に配置して構成されていることを特徴とする水虫治療器具。
【請求項２】
前記ブラシ集合体は、６本の前記ブラシにより構成され、基端部において纏めて結束されることで前記基軸に固定されていることを特徴とする請求項１に記載の水虫治療器具。
【請求項３】
前記ブラシは、１００本の直径０．６ｍｍのポリプロピレン製の繊維をその基端部及び中央部でそれぞれ結束することによって構成されていることを特徴とする請求項１又は２に記載の水虫治療器具。
【発明の詳細な説明】
【技術分野】
【０００１】
本発明は、水虫を治療するために使用する水虫治療器具に関するものである。
【背景技術】
【０００２】
従来、足の裏や指の間や爪の間などの部位に白癬菌が感染することにより発症する水虫を治療するためにいろいろな水虫治療薬が開発されている。このような水虫治療薬は、水虫を発症した患部に直接塗布されたり、或いは、水虫治療薬を塗布した後にブラシなどでブラッシングして浸透を促したりするようになっている（例えば、特許文献１又は２を参照）。
【先行技術文献】
【特許文献】
【０００３】
【特許文献１】特開平６−１１６１５２号会報
【特許文献２】特開２００８―２３９６２６号公報
【発明の概要】
【発明が解決しようとする課題】
【０００４】
しかしながら、上記した従来の水虫治療薬を塗布して浸透を促す方法では、足の指、指と指の間の皮膚、足の指の付け根の皮膚、爪先周辺の皮膚の水虫は、体重が掛かり、伸縮、拡張を繰り返すため皮膚が肉厚になるので、なかなか深層まで、水虫治療薬を届けることができない。
【０００５】
また、足は、身体の最下部に位置し、体液が落下し、ダムに堰き止められた貯水池の水のように、爪先まで体液が充満する。さらに足や足の指の皮膚からは、靴の中に密閉されるので、高温になり、他の部位よりもはるかに多く汗が流れ出る。そのため、足の指と、足の指と指の谷間の皮膚と、足の指の付け根の皮膚や、爪先付近の皮膚の水虫は、水虫治療薬を塗布した後に、平板なブラシによるフラッシングや、突起体の集合面を押し当てるブラッシングをしたとしても、上記した肉厚な皮膚や充満する体液や多く流れ出る汗などが障害物となって、水虫治療薬の進入を妨害して、患部深層に十分な量の水虫治療薬を浸透できないため、水虫を完治することはできない。
【０００６】
本発明は、上記した課題を解決すべきなされたものであり、たとえ、足の指、足の指と指の間の皮膚、足の指の付け根の皮膚、爪先周辺の皮膚の水虫であろうとも、十分な量の液体水虫治療薬を患部に確実且つ素早く浸透させ、水虫を短期間に完治させることのできる水虫治療器具を提供することを目的とするものである。
【課題を解決するための手段】
【０００７】
上記した目的を達成するために、本発明に係る水虫治療器具は、棒状の基軸と、該基軸の先端部に基端部が固定されるブラシ集合体と、を備え、該ブラシ集合体は、多数の繊維を束ねて円柱状に形成されたブラシを、前記基軸の先端部の周囲に複数本均等に配置して構成されていることを特徴とする。
【０００８】
また、本発明に係る水虫治療器具において、前記ブラシ集合体は、６本の前記ブラシにより構成され、基端部において纏めて結束されることで前記基軸に固定されていることを特徴とする。
さらに、前記ブラシは、１００本の直径０．６ｍｍのポリプロピレン製の繊維をその基端部及び中央部でそれぞれ結束することによって構成されていることを特徴とする。
【発明の効果】
【０００９】
本発明によれば、水虫の発症した部位の如何を問わず、たとえ足の指、足の指と指の間の皮膚、指の付け根の皮膚、爪先周辺の皮膚でも、曲がりくねったいびつな皮膚でも、治療に十分な量の液体水虫治療薬を患部に確実且つ素早く、浸透させ、水虫を短期に完治させることのできる等、種々の優れた効果を得ることができる。
【図面の簡単な説明】
【００１０】
【図１】本発明の実施の形態に係る水虫治療器具を示す斜視図である。
【図２】本発明の実施の形態に係る水虫治療器具を示す平面図である。
【図３】本発明の実施の形態に係る水虫治療器具を示す側面図である。
【図４】本発明の実施の形態に係る水虫治療器具を使用して足の指の間の患部を治療する方法を示す斜視図である。
【発明を実施するための形態】
【００１１】
以下、図面を参照しつつ、本発明の実施の形態について詳細に説明する。
【００１２】
先ず、図１乃至図３により、本実施の形態に係る水虫治療器具１の構成について詳細に説明する。ここで、図１は本発明の実施の形態に係る水虫治療器具を示す斜視図、図２は本発明の実施の形態に係る水虫治療器具を示す平面図、図３は本発明の実施の形態に係る水虫治療器具を示す側面図である。
【００１３】
本発明の実施の形態に係る水虫治療器具１は、棒状の基軸２と、基軸２の先端部に基端部が固定されるブラシ集合体３と、を備えて構成されている。水虫治療器具１は、１５ｃｍ程度の全長を有していることが好ましい。
【００１４】
基軸２は、酸化を防止するためアルミニウム製で、５ｍｍ程の直径と１２ｃｍ程度の長さを有していることが好ましい。基軸２の他端部には、特に図示しないが、握り易いように滑り止め用の溝が複数本刻設されているのが好ましい。
【００１５】
フランジ集合体３は、多数の繊維を束ねて円柱状に形成されたブラシ４を、基軸２の先端部の周囲に複数本均等に配置して構成されている。各ブラシ４は、耐酸性に優れて反発力が大きいポリプロピレン製の繊維により形成されているのが好ましく、１００本程度の直径０．６ｍｍ程度のポリプロピレン製の繊維をその基端部の２箇所と中央部の１箇所の合計３箇所（図１及び図２中の破線部参照）でそれぞれ結束することによって構成されている。これにより、各ブラシ４は、５ｍｍ程度の直径と５ｃｍ程度の長さを有しているのが好ましい。また、フランジ集合体３は、６本のブラシ４により略円筒状に配置されて構成されているのが好ましく、その基端部の２箇所において纏めて結束されることで基軸２の先端部に固定されている。
【００１６】
次に、主に図４を参照しつつ、上記した構成を備えた本発明の実施の形態に係る水虫治療器具１を使用して、足７の指の間の患部を治療する方法について説明する。
【００１７】
水虫の治療は、入浴後の皮膚にまだ十分に水分を多く含んで、ふやけている間にすばやく行うのが好ましいので、事前に液体水虫治療薬を口の広い小さなビーカーのような容器内に、おおよそ２０ｃｃ注入しておく。入浴後、素早く体をふき、着衣を身に着けて椅子に座り、治療する側の足を、もう片方の膝の上に乗せ、空中であぐらをかくような姿勢をとり、治療する患部の足の指を押さえて大きく開き患部を露出させる。
【００１８】
この姿勢において、まず、水虫治療器具１の基軸２の他端部を把持し、容器内の液体水虫治療薬に、水虫治療器具１のブラシ集合体３を入れて浸し、各ブラシ４内に液体水虫治療薬を含有させる。次に、水虫治療器具１を引き上げ、患部にブラシ集合体３の先端、側面、あるいは全体を当てて、マッサージする。以後、同様の動作を数回繰り返す。
【００１９】
これにより、ふやけている浸透性が高い患部に、十分な量の液体水虫治療薬が有効成分を決められた濃度のまま、すさまじい推進力で、瞬時に、深層かつ広域に塗布し浸透でき、短期間に水虫を完治させることができる。
【００２０】
水虫を完治させるには、水虫に冒されている患部に製薬会社が決めた濃度のままの十分な量の水虫治療薬を、深層かつ、できるだけ早く広域に、送り届けなければならない。したがって、水虫菌が繁殖する皮膚内を、確実に素早く決められた濃度のまま水虫治療薬の有効成分で、繰り返し超飽和状態にすることが、水虫を確実に最速に改善し、完治させる唯一の方法である。
【００２１】
次に、ブラシ集合体３を水虫患部に押し当てマッサージした時に起こる、ブラシ集合体３の中間部分から基端側（図４の上側）までの部分の機能について説明する。基軸２の先端部に固定された円柱形状の各ブラシ４は、１本に付き、おおよそ１００本のポリプロピレン製の繊維によって構成されているため、ブラシ集合体３は、おおよそ６００本のポリプロピレン製の繊維の束を有している。これらのブラシ４の６本の束は、例えば、書道において半紙に文字を筆で書く際、硯の墨池と呼ばれる墨汁が溜められたくぼみに、筆の毛の全体を深く沈め、それにより、筆の毛に十分な量の墨汁が含有されるのと同様の役目を担っている。すなわち、十分な量の液体水虫治療薬を水虫に感染している皮膚へ移し入れるために、あらかじめ用意した口の広い容器内に移しておいた液体水虫治療薬の中に、ブラシ集合体３を深く浸し入れることにより、ブラシ４内全体に、十分な量の液体水虫治療薬を含有させることができる。
【００２２】
また、例えば、書道において半紙に文字を書く際、書道家は、十分な量の墨汁を含んだ筆の毛の先を、半紙に置き、一瞬、強く筆を下に押す行動を起こす。これにより筆内に含まれた十分な量の墨汁は、筆の繊維一本一本に筆圧となって加わり、筆の先端から半紙へ勢いよく滲み出る。全くこれと同じ現象が、６本の各ブラシ４の内部で起きる。上記したように本発明におけるブラシ集合体３は、もともと反発力の大きいポリプロピレン製の繊維を用い６００本の多数を集結させているので、それ自体大変な反発力を生み出すが、それに加えて、各ブラシ３に十分な量の液体水虫治療薬を含有させ、水虫の患部に押し当てて、さらに押すと、書道の筆と同様に、ポリプロピレン製繊維の糸、一本一本に筆圧が掛かり、銃口から弾丸が飛び出すように、ブラシ４に含まれた十分な量の液体水虫治療薬は、皮膚内の水虫菌が感染している菌の巣の中心部へ、すさまじい推進力をもって突入する。これが、本発明におけるブラシ集合体３が液体水虫治療薬を速やかに水虫に冒された皮膚内へ移動させることができる理由である。本発明者はこれを「筆圧の推進力」と呼ぶ。
【００２３】
また、ブラシ集合体３は６本のブラシ４を束ねたものであるため、１本のブラシ４を水虫の患部に押し当てて、そのブラシ４内の液体水虫治療薬が無くなり次第、少し回転させ、すぐ隣のブラシ４を押し当てることを繰り返すことによって、短時間に十分な量の液体水虫治療薬を患部に連続して送り届けることができる。上記したように、水虫は、足の皮膚が十分水分を含んでいる内に治療しなければならず、皮膚が乾燥すると、液体水虫治療薬を皮膚深層へ送り届けることは難しい。そこで、足の皮膚が水分でふやけている間に、ブラシ集合体３への液体水虫治療薬の補充は、すばやく何回も行われなければならない。ブラシ集合体３に液体水虫治療薬がなくなり次第、再度すばやく容器内に移しておいた液体水虫治療薬の中に、ブラシ集合体３を深く浸し入れることにより、すばやく充分すぎる量の液体水虫治療薬を各ブラシ４内に補充ができる。
【００２４】
本発明におけるブラシ集合体３は、非常に柔軟性が高く、反発力の大きいポリプロピレン製繊維をおおよそ６００本束ねて形成されているので、ブラシ集合体３にどのような方向から強い圧力を加えても、変形や断裂、破損することなく、圧力に耐え、例え一時期変形してしなったとしても、圧力を加えることを止めると、再び、すさまじい反発力で元の形に戻ろうとする。このようにポリプロピレン素材が持つ優れた反発力が、液体水虫治療薬を速やかに水虫に冒された皮膚内へ移動させる、すさまじい推進力を生み出す主因となっている。
【００２５】
本発明におけるブラシ集合体３は、アルミニウム製の基軸２の先端部に６本のブラシ４を円筒状にきつく結束した構成を有しているので、基軸２を手で把持するときに加えられた腕力を、そのままブラシ集合体３の表面の一点にスムーズに移行させることができる。これは、あたかも、野球で打者が、バット表面の曲線の頂点の芯で投球を捕えて打球が遠くへ飛ばすように、液体水虫治療薬を含ませたブラシ４のいずれかの曲線の頂点を、水虫の患部へ押し当てることで、十分な量の液体水虫治療薬を、皮膚内の水虫菌が感染している菌の巣の中心部へ向かって、すさまじい推進力で送り届けることができる。本発明者はこれを「ポリプロピレンの推進力」と呼ぶ。これに加えて、ブラシ集合体３を支える基軸２がアルミニウムで耐久性があり、ブラシ４がポリプロピレン製で反発力があるため、竹ほうきが、勢いよくゴミを飛ばすように、それを把持する握力や腕力をダイレクトにブラシ４の先端まで伝えることができ、ブラシ集合体３は大きな推進力を生み出す注目すべき中心的な要素となっている。
【００２６】
さらに、本発明のブラシ集合体３の中心部が空洞で、６本のブラシ４が、同一円周上に、非常に緊密に隣り合って形成されていることが、すさまじい推進力を生み出す別な要因となっている。６本のブラシ４は非常に緊密に隣り合って結束されているので、ある１本のブラシ４の動きが、他のブラシ４にも均一に連動する関係にある。したがって、力を加えたいブラシ４を中心に基軸に力を加えて押すと、左右の４本のブラシ４は互いに隣り合って、それに連動して牽引し合い、力を加えたいブラシ４と同じ方向に焦点を合わせ、推進力を生み出す。もし仮に本発明のブラシ集合体３の中心部が空洞ではなく、ブラシ全体の繊維が、ひとまとめに結束されたり、あるいは、一本一本のブラシが間隔を空けて並べられたりした場合には、加えたい方向に力を加えても、全体は大きく変形せず、一定方向へ推進力も生まれない。また、一本一本の繊維も個々にきつく結束されていない場合には、バラバラな方向に動き、一定方向への推進力は生まれない。
【００２７】
以上、ブラシ集合体３を水虫患部に押し当てマッサージした時に起こる、ブラシ集合体３の中間部分から基端側（図４の上側）までの部分の機能について説明したが、以降は、ブラシ集合体３の中間部分から先端側（図４の下側）までの部分の機能について説明する。
【００２８】
ブラシ集合体３は円筒状に配置された６本のブラシ４により形成されているため、その先端部は頭足類や軟体動物のタコやイカの足のように、自在にフレキシブルな方向に動き、周囲の状況に応じて曲がるようになっており、その自在なブラシ４の機能により、水虫の治療に絶大な効果を発揮する。なぜなら、人間の足をさまざまな方向から観察すると、多種な曲線を構成していて、部分的には、かなりいびつで、水虫は足のどの部位の皮膚でも発症するので、治療の際、足の部位の曲線の如何でも、ブラシ集合体３の先端部を当てて、確実に液体水虫治療薬を皮膚深層まで届けなければならない。足の指の間の皮膚は、なだらかな曲線で、ゆるやかな傾斜を形成しており、足の指の間や側面を、正面から対峙して見ると、鍾乳洞の洞窟のようにいびつに曲がりくねっている。また、足の指の付け根周辺の皮膚は、非常に鋭角なカーブを描いている。これら様々な曲線を構成する足の皮膚の表面に水虫が発症しても、ブラシ集合体３の中間部分から先端側部分は、あらゆる方向へ曲がるので、多種な水虫の治療を行うことができる。
【００２９】
具体的には、ブラシ集合体３に液体水虫治療薬を含ませた後、基軸２を把持し、ブラシ集合体３が、皮膚患部に当たる方向を調整する。ブラシ集合体３のいずれかのブラシ４自体の先端部を直接把持し、振り子運動のように往復運動で前後に動かし、限定的に患部を治療する。足の指の側面の患部には、ブラシ集合体４の側面を押し当て、弓なりに撓らせたブラシ３の反動を利用してブラッシングして治療する。あるいはブラシ４の先端部を直接把持し、窪んだ患部に鋭角に押し当て彫刻刀で木の表面だけを削るように、押しながら前後に行き来させることで、あらゆる曲線や盛り上がりのあるいびつな皮膚に密着して治療を施すことができるので、絶大な治療効果を期待することができる。
【００３０】
最も深層に感染している水虫菌の形態は、軟質なビニール素材に砂を埋め込んだようなザラザラした皮膚の実態がある。そのような水虫の感染形態の治療の場合には、ブラシ４の先端部を直接さらに短めに把持して、水虫に冒されている皮膚を、非常に鋭角な角度から突き刺すように押し当てて前後にゴリ押しして、マッサージすると、最短距離で起こる最大級の反発推進力を得ることができ、そのような皮膚深層の水虫の治療に絶大な効果を発揮する。このようにブラシ集合体３の中間部分から先端側部分にかけて、フレキシブルにどのような方向にでも自在に曲がり、なおかつブラシ集合体３の中心部分が空洞なため、ブラシ集合体３の６本のブラシ４の配列形態は、変幻自在に形を変え、さまざまな曲線を構成する足の皮膚のどうような部位に発症した水虫に対して密着し、独自の推進力を発生させて有効な治療を施すことができる。本発明者はこれを「変形の推進力」と呼ぶ。
【００３１】
さらに、本発明の水虫治療器具１は、「浸透圧の原理」を応用している。浸透圧の原理とは、濃度の低い溶液が、濃度の高い溶液の方へ移動することであるが、この場合、濃度が低い溶液とは、お風呂に入ってふやけた足の皮膚内の水分であり、濃度が高い溶液とは、本発明におけるブラシ集合体３の部分に含有させた液体水虫治療薬である。入浴して十分にふやかした足の裏の皮膚内には十分な量の水分が含まれているため、そこに液体水虫治療薬を含有させたブラシ４を接触させると、足の皮膚内の水分は、ブラシ４の中へ流入して入っていく。それとは反対に、ブラシ４の中に含有された液体水虫治療薬は、ブラシ４が、ふやけた足の皮膚に接触した瞬間、「筆圧の推進力」が働いて、ブラシ４の中からミサイルのように噴出して、ふやけた足の皮膚の中へ希釈されず、高濃度のまま突入する。瞬時に、ふやけた足の皮膚内の水分と、ブラシ４に含有されている液体水虫治療薬が、入れ替わり、ふやけた足の水分はなくなり、その代わりに液体水虫治療薬が足の皮膚内に注入される。結果的に足の裏の皮膚は、液体水虫治療薬の決められた濃度のままの有効成分で、充分に満たされるのである。本発明者はこれを「浸透圧の推進力」と呼ぶ。
【００３２】
このように、１、「筆圧の推進力」２、「ポリプロピレンの推進力」３、「変形の推進力」４、「浸透圧の推進力」の主たる４種類の推進力が合算して働き、本発明は短時間に素早く水虫に冒された皮膚内に、液体水虫治療薬の有効成分を決められた濃度のまま、注入でき、皮膚内を飽和状態に満たすことができる。これにより、この治療を繰り返すことで、足の指、指の間の谷間、付け根付近の皮膚、爪先周辺の皮膚。それらの付近のどの部位に発症した重症な水虫でさえも確実に改善しついには完治にいたる。
【００３３】
ここで、短時間に上記の方法で、大量に足の裏の皮膚内に液体水虫治療薬を浸透させるのは、健康的に問題はないのであろうか、という疑問が起こる。しかし、冒頭で説明したように、足は、身体の下部に位置し、皮膚は肉厚化し、体液が落下し、ダムに堰き止められた貯水池の水のように、足の指の爪先まで体液が充満して、さらに足や足の指先あたりの皮膚からは、他の部位よりもはるかに多めの汗が流れ出る特殊な構造を持っている。そのため、大量に足の裏の皮膚内に液体水虫治療薬を浸透させても、簡単には皮膚の深層までは、そう簡単にすぐには、届かず、治療を止めれば、一時間後ぐらいには、大量に浸透させた液体水虫薬のほとんど大半は、足の外へ流失してしまい、かろうじて残った液体水虫治療薬の有効成分が、一時間前後で、どうにか菌に働きかけて、水虫を徐々に改善してゆくのが現状である。このように、肉厚化する皮膚、体液の落下と皮膚内での充満、それに汗の流出の悪条件を考慮すると、水虫の治療時は毎回、かなり多めの液体水虫治療薬を塗布する必要がある。
【００３４】
本発明の機能性の試験をさまざま部位の水虫に対して行ったが、水虫の発症している部位がどこであろうと、非常に大きい効力を発揮した。特に足の指、指と指の間の皮膚、足の指の付け根の皮膚、爪先周辺に発症した水虫を治療するのには本発明が不可欠であり、本発明を使わなければ完治できないと思慮される。
【００３５】
水虫菌は白癬菌であるが、菌糸の太さは５マイクロメートル、と言われている。しかし、足の裏の皮膚に侵入した水虫菌は、圧縮しながら蓄積してゆき、感染から数十年の時を経て、歩いた数だけ衝撃を受け、だんだんと粉砕される。その結果、菌糸は糸状から粉状に変質する。そのような状態ゆえに、足の裏の皮膚内に繁殖している水虫を完治させるには、あらかじめ浸透性を高めるために足の皮膚を十分ふやかせておいて、治療の度に大量の液体水虫治療薬をすさまじい推進力で皮膚内に送り、反発力が大きい、間隔と間隔の間がゼロに近い繊維を束ねたポリプロピレンのような素材でできたブラシを強く押し当ててブラッシングするしか方法はない。
【００３６】
なお、上記した本発明の実施の形態の説明は本発明に係る水虫治療器具１における好適な実施の形態を説明しているため、材質、形状、数量、位置等において、技術的に好ましい種々の限定を付している場合もあるが、本発明の技術範囲は、特に本発明を限定する記載がない限り、これらの態様に限定されるものではない。すなわち、上記した本発明の実施の形態における構成要素は適宜、既存の構成要素との置き換えが可能であり、かつ他の既存の構成要素との組み合わせを含む様々なバリエーションが可能であり、上記した本発明の実施の形態を持って、特許請求の範囲に記載された発明の内容を限定するものではない。
【符号の説明】
【００３７】
１    水虫治療器具
２    基軸
３    ブラシ集合体
４    ブラシ
【図１】
2018019892.tif 000003
【図２】
2018019892.tif 000004
【図３】
2018019892.tif 000005
【図４】
2018019892.tif 000006